(57)【要約】【課題】本発明は、観測試料を容器内に注入しこれを流通させながら、流通試料に光を透過して観測するために用いられる観測容器であって、観測容器に設けられた観測窓部に凸型窓を用いることにより、窓部での試料の膨らみを低減できる観測容器の内容積を小さくすることが可能な微小内容積観測容器を提供するものである。【解決手段】微小内容積観測容器において、容器本体（Ｘ）において、相互に対向する試料注入口（Ｎ１）と試料排出口（Ｎ２）の間に形成された試料流路部（Ｙ）が設けられるとともに、該試料流路部（Ｙ）にほぼ直交する方向に相互に対向する観測光入射窓部（１）と観測光出射窓部（２）が設けられており、該観測光入射窓部（１）と該観測光出射窓部（１）の双方に凸型窓（Ｗ１，Ｗ２）を用いたことを特徴とするものである。【選択図】          図１
2004150838.tif 000002
【特許請求の範囲】
【請求項１】
容器本体（Ｘ）において、相互に対向する試料注入口（Ｎ１）と試料排出口（Ｎ２）の間に形成された試料流路部（Ｙ）が設けられるとともに、該試料流路部（Ｙ）にほぼ直交する方向に相互に対向する観測光入射窓部（１）と観測光出射窓部（２）が設けられており、該観測光入射窓部（１）と該観測光出射窓部（１）の双方に凸型窓（Ｗ１，Ｗ２）を用いたことを特徴とする微小内容積観測容器。
【請求項２】
容器本体（Ｘ）の上底面において相互に対向する位置に試料注入口（Ｎ１）と試料排出口（Ｎ２）とが設けられることにより容器本体（Ｘ）内に該試料注入口（Ｎ１）と該試料排出口（Ｎ２）とを導通する試料流路部（Ｙ）が形成され、容器本体（Ｘ）一方側面に観測光入射窓部（１）と、該観測光入射窓部（１）に対向する容器本体（Ｘ）他方の側面に観測光出射窓部（２）が設けられており、該観測光入射窓部（１）と該観測光出射窓部（２）の双方に凸型窓（Ｗ１，Ｗ２）を用いたことを特徴とする微小内容積観測容器。
【発明の詳細な説明】
【０００１】
【発明の属する技術分野】
本発明は、観測試料である溶液を容器内に注入しこれを流通させながら、流通試料に光を透過して観測するために用いられる観測容器であり、より詳細には、容器内に配置される観測窓に凸型窓を用いることにより、極めて内容積の小さい構造を有する微小内容積観測容器に関するものである。
【０００２】
【従来の技術】
従来提供されている観測容器においては、観測光入射窓部と観測光出射窓部に円筒型の窓や円柱型の窓（以下、円筒型窓）を用いることが一般的であった。
【０００３】
すなわち、観測容器内に形成された試料の流通路に対し光を透過させるため、例えば、容器側面部に相互に対向する位置に、段付き窓が突出するような構造ではない二つの円筒型窓を用いた観測窓部を設ける構成が採用されていた。
【０００４】
さて、このような観測容器において観測窓部を設ける場合、高圧下の測定に対応するため、観測窓部の強固なシールを図らねばならず、観測窓部の構成として、容器内中央部からリング状シールパッキング、窓が配置され、その外側に窓押さえ部を配置する手段が採用される。
【０００５】
したがって、上記した従来の円筒型窓を用いた観測窓部を設けた観測容器においては、窓のシールを支えるため、容器内における中央部に一定程度の厚みを必要とする構成となるが、これでは、流通する試料の流れが窓部で大きく乱され、試料が時間により変化する場合などには観測容器内の内部への試料の滞在が問題となり、正確な観測が困難であった。
【０００６】
【発明が解決しようとする課題】
本発明は、かかる問題点を解決するためになされたものであり、その目的とするところは、観測容器に設けられた観測窓部に凸型窓を用いることにより、窓部での試料の膨らみを低減できる観測容器の内容積を小さくすることが可能な微小内容積観測容器を提供するものである。
【０００７】
【課題を解決するための手段】
本発明は、上記の目的を達成するために、
微小内容積観測容器において、容器本体（Ｘ）において、相互に対向する試料注入口（Ｎ１）と試料排出口（Ｎ２）の間に形成された試料流路部（Ｙ）が設けられるとともに、該試料流路部（Ｙ）にほぼ直交する方向に相互に対向する観測光入射窓部（１）と観測光出射窓部（２）が設けられており、該観測光入射窓部（１）と該観測光出射窓部（１）の双方に凸型窓（Ｗ１，Ｗ２）を用いたことを特徴とするものである。
【０００８】
微小内容積観測容器において、容器本体（Ｘ）の上底面において相互に対向する位置に試料注入口（Ｎ１）と試料排出口（Ｎ２）とが設けられることにより容器本体（Ｘ）内に該試料注入口（Ｎ１）と該試料排出口（Ｎ２）とを導通する試料流路部（Ｙ）が形成され、容器本体（Ｘ）一方側面に観測光入射窓部（１）と、該観測光入射窓部（１）に対向する容器本体（Ｘ）他方の側面に観測光出射窓部（２）が設けられており、該観測光入射窓部（１）と該観測光出射窓部（２）の双方に凸型窓（Ｗ１，Ｗ２）を用いたことを特徴とするものである。
【０００９】
【発明の実施の形態】
本発明の実施の形態を図面に基づき説明する。
【００１０】
図１は、本発明に係る微小内容積観測容器の一実施例を示す説明断面図であり、図２は、本発明に係る微小内容積観測容器の一実施例を示す説明断面図であり、図３は、本発明に係る微小内容積観測容器の観測窓部の取り付け説明図である。
【００１１】
図４は、従来提供された円筒型窓を用いた観測窓部を有する観測容器を示す説明断面図であり、図５は、従来提供された円筒型窓を用いた観測窓部を有する観測容器を示す説明断面図である。
【００１２】
図に示すように本発明においては、容器本体（Ｘ）には、相互に対向する試料注入口（Ｎ１）と試料排出口（Ｎ２）とが設けられ、試料流路部（Ｙ）が容器内に形成される。
【００１３】
したがって観測に際しては、試料注入口（Ｎ１）より、例えば溶液状の試料を注入し、試料流路部（Ｙ）に連続的に流通させることになる。なお、図１に記載された矢印は、試料の流れる状態を示すものである。
【００１４】
また、容器本体（Ｘ）には、試料流路部（Ｙ）に光を透過させるために、試料流路部（Ｙ）を介して相互に対向する位置に観測光入射窓部（１）と観測光出射窓部（２）が設けられている。
【００１５】
したがって観測に際しては、試料を流した状態において、一方の観測窓部（観測光入射窓部）から光を入射し、他方の観測窓部（観測光出射窓部）に、例えば検出器（図示せず）を付け、試料の成分分析や試料の溶液構造の分析を行うものである。
【００１６】
なお、図に示した実施例においては、観測光入射窓部（１）および観測光出射窓部（２）は、容器本体（Ｘ）一方側面およびこれに対向する容器本体（Ｘ）他方の側面に形成された切欠部に窓を設置することによりなり、例えば、図２に示すように、試料流路部（Ｙ）からの配置において、リング状シールパッキング（１１，２１）、凸型窓（Ｗ１，Ｗ２）、ワッシャー（１２，２２）が配置され、その外側に窓押さえ金具（１３，２３）を配置するものである。
【００１７】
なお、凸型窓（Ｗ１，Ｗ２）には、サファイヤなどの光透過性材料が用いられる。
【００１８】
さて、本発明においては、窓に凸型窓（Ｗ１，Ｗ２）を採用することに特徴がある。
【００１９】
すなわち、従来例に見られる円筒型窓（Ｔ１，Ｔ２）を用いた観測容器では、図４，図５に示すように、窓のシールを支えるため、容器内の中央部に一定程度の厚みを有することから、いきおい観測容器内の内容積が大きくなってしまう問題点があった。
【００２０】
このような従来の観測容器の構成では、容器内を流通する試料の流れが窓部で大きく乱され、試料が時間により変化する場合などには観測容器の内部への滞在が問題となった。
【００２１】
すなわち、試料を流しながら、流れてくる試料の状態を光を用いて観測する本発明に係る観測容器においては、試料の流れを乱さず連続的に観測することが極めて重要であり、図４に概念的な矢印で説明するように、試料の流れが乱れると、前に流れた試料が観測容器に滞在することになり、試料の入れ替わりが不十分なまま観測してしまう可能性がある。また、試料が時間と共に反応してしまうようなものの場合、観測容器内において試料が変化していくことになり、長期の容器内の滞在は、正確な観測を妨げることとなる。
【００２２】
一方、本発明においては、凸型窓を用いるため、いわゆる段付き窓の部分が、円筒型窓に比し、容器内中央部すなわち試料流路部（Ｙ）方向へ突出されることとなる。
【００２３】
このような本発明に係る観測容器の構成を採用することにより、窓部の良好なシールを保持しながら、従来例に比し観測容器内内容積を小さくすることが可能となり、従来の円筒型窓を用いた観測容器において惹起した容器内に形成された試料流路部（Ｙ）における試料の膨らみを低減することが可能となるものである。
【００２４】
【発明の効果】
本発明は上記に詳述したように構成されるので、以下に示す効果を奏するものである。
【００２５】
観測容器内に設けられた観測窓部に凸窓を用いることにより、観測容器内の容積を小さくすることが可能となる微小内容積観測容器を提供することが可能となる。
【００２６】
観測容器内を試料がスムーズに流れ、試料の流れの乱れと試料の観測容器内における滞在時間が大幅に低減され、正確な観測が可能となる。
【図面の簡単な説明】
【図１】本発明に係る微小内容積観測容器の一実施例を示す説明断面図。
【図２】本発明に係る微小内容積観測容器の一実施例を示す説明断面図。
【図３】本発明に係る微小内容積観測容器の観測窓部の取り付け説明図。
【図４】従来提供された円筒型窓を用いた観測窓部を有する観測容器を示す説明断面図。
【図５】従来提供された円筒型窓を用いた観測窓部を有する観測容器を示す説明断面図。
【符号の説明】
Ｘ          容器本体
１          観測光入射窓部
２          観測光出射窓部
Ｎ１        試料注入口
Ｎ２        試料排出口
Ｙ          試料流路部
Ｗ１、Ｗ２  凸型窓
１１，２１  リング状シールパッキング
１２，２２  ワッシャー
１３，２３  窓押さえ金具
Ｔ１，Ｔ２  円筒型窓
【図１】
2004150838.tif 000003
【図２】
2004150838.tif 000004
【図３】
2004150838.tif 000005
【図４】
2004150838.tif 000006
【図５】
2004150838.tif 000007